(57)【要約】  切屑を除去するために工具本体の周囲に配置された少なくとも１つの螺旋状の切屑案内溝と、切屑案内溝に配置された割出し可能な切削インサート用の少なくとも２つのレセプタクルと、を備える、シェルエンドミル用工具本体が、説明される。この場合、各レセプタクルは、割出し可能な切削インサート締付ねじを受容するための孔を有するベース面と、ベース面に隣接する少なくとも１つの第１の当接面と、を備える。ベース面と第１の当接面との間の移行部は、溝である。加えて、このような工具本体を備える切削工具が説明され、両面割出し可能な切削インサートが、各レセプタクル内に取り付けられる。
2019524467.tif 000002
【特許請求の範囲】
【請求項１】
シェルエンドミル用の工具本体であって、
切屑を除去するために、前記工具本体の周囲に配置された少なくとも１つの螺旋形状の切屑案内溝と、
前記切屑案内溝に配置された割出し可能な切削インサート用の少なくとも２つのレセプタクルと、を備え、前記レセプタクルが各々、割出し可能な切削インサート締付ねじを受容する孔を備えるベース面と、前記ベース面に隣接して位置し、前記ベース面に対して実質的に垂直である、少なくとも１つの第１の当接面と、を備え、前記ベース面と前記第１の当接面との間の移行部が、溝であることを特徴とする、工具本体。
【請求項２】
前記溝が、少なくとも部分的に前記ベース面の後方に、かつ前記第１の当接面の後方に位置することを特徴とする、請求項１に記載の工具本体。
【請求項３】
前記ベース面が、工具本体の長手方向軸と異なる角度を囲繞することを特徴とする、請求項１及び請求項２のうちの一項に記載の工具本体。
【請求項４】
前記レセプタクルが、前記第１の当接面及び前記ベース面に隣接する第２の当接面を備えることを特徴とする、請求項１〜３のうちのいずれか一項に記載の工具本体。
【請求項５】
前記第１の当接面と前記第２の当接面との間の移行部が、溝であることを特徴とする、請求項４に記載の工具本体。
【請求項６】
各レセプタクルが、前記工具本体内に配置された前記レセプタクル内の割出し可能な切削インサートを冷却するための冷媒出口開口を有することを特徴とする、請求項１〜５のうちのいずれか一項に記載の工具本体。
【請求項７】
少なくとも１つの冷媒出口開口が、前記工具本体の端面において、加工プロセスの冷却のために配置されていることを特徴とする、請求項１〜６のうちのいずれか一項に記載の工具本体。
【請求項８】
割出し可能な切削インサート用のレセプタクルと共に、２〜１０個の、好ましくは５〜７個の切屑案内溝を備え、前記切屑案内溝が、前記工具本体の周囲において、非均一に分配されていることを特徴とする、請求項１〜７のうちのいずれか一項に記載の工具本体。
【請求項９】
前記工具本体が、一体的に設けられていることを特徴とする、請求項１〜８のうちのいずれか一項に記載の工具本体。
【請求項１０】
３〜３０個の、好ましくは５〜２０個のレセプタクルが、前記切屑案内溝に沿って配置されることを特徴とする、請求項１〜９のうちのいずれか一項に記載の工具本体。
【請求項１１】
前記ベース面の上に割出し可能なインサートを中心に配置するために突起が配置され、好ましくは前記孔が、内部を通る前記突起を通して延在することを特徴とする、請求項１〜１０のうちのいずれか一項に記載の工具本体。
【請求項１２】
請求項１〜１１のうちのいずれか一項に記載の工具本体を備えるシェルエンドミルであって、両面割出し可能な切削インサートが、各レセプタクルに取り付けられる、シェルエンドミル。
【請求項１３】
前記溝内の少なくとも１つのクランプ側切刃が、前記ベース面と第１の当接面との間の移行部に配置されることを特徴とする、請求項１２に記載のシェルエンドミル。
【請求項１４】
前記割出し可能な切削プレートが、負のすくい角を有することを特徴とする、請求項１２又は請求項１３に記載のシェルエンドミル。
【請求項１５】
前記割出し可能な切削インサートが、関連する切刃に対してセットバックした前記割出し可能な切削インサートの内部に向かって位置する、２つの割出し可能な側のベース面を備えることを特徴とする、請求項１２〜１４のいずれか一項に記載するシェルエンドミル。
【発明の詳細な説明】
【背景技術】
【０００１】
本発明は、米国特許法第１２０条に従った、２０１６年８月１６日に出願された米国特許出願第１５／２３８，２１４号に対する優先権を主張するものであり、これは、参照することによりその全体が本明細書に組み込まれる。
【技術分野】
【０００２】
本発明は、切屑を排出するための工具本体の周囲に配置された少なくとも１つの螺旋状の切屑排出溝と、切屑排出溝に配置された、切削インサートのための少なくとも２つのレセプタクルと、を有する、シェルエンドミル用工具本体であって、レセプタクルが、それぞれ、切削インサート装着ねじを受容する穴を有するベース面と、ベース面と隣接するとともにベース面に対して実質的に垂直な少なくとも１つの第１の接触面と、を備える、シェルエンドミル用工具本体に関する。
【０００３】
本発明は更に、上記タイプの工具本体を備えた切削工具、特にシェルエンドミルに関する。
【０００４】
このような工具本体及び切削工具は、先行技術から既知である。シェルエンドミルは、原則として円筒の基本形状を有し、機械加工タスクに使用され、ここでは、切削プロセスが、シェルエンドミルの端面上及びシェル面上の両方において行われる。この目的のために、シェルエンドミルは、端面上及びそのシェル面上の両方に、例えば切削インサートによって構成された切刃を備える。
【０００５】
原則として、上記タイプのシェルエンドミル、又はより正確にはその工具本体は、いくつかの切屑排出溝を備える。各切屑排出溝には、レセプタクルに装着された多数の切削インサートが配置される。そのため、このようなシェルエンドミルは、多数の切削インサート、及びそれと同じ数だけの関連するレセプタクルを備える。よって、各工具本体及び全体としての切削工具の設計は複雑であり、したがって高価である。
【０００６】
工具の寿命の間、切削工具の価格は、加工コストに含まれる。このため、上記タイプの工具本体を備える上記タイプの切削工具を用いて工具を加工することは、費用がかかる。
【発明の概要】
【０００７】
したがって、本発明のタスクは、上記タイプの切削工具を更に改善することである。特に、工具の加工におけるこのような工具の費用対効果を向上させることにある。
【０００８】
本タスクは、ベース面と第１の接触面との間の移行部が溝であるという上記タイプの工具本体によって解決される。これにより、ベース面及び第１の接触面は、物理的エッジを形成しない。むしろ、２つの面の間の移行部の溝は、凹部を構成し、言い換えれば双方の面が直接互いに当接する場合と比較して、材料が除去されている。溝の断面は、任意の形状、例えば、矩形、円形、又は楕円形であってもよい。溝によって、両側に切刃を備えることを特徴とする両面切削インサートは、レセプタクル内に配置することができる。よって、四角形の両面切削インサートは、８個の切刃を有し、三角形の切削インサートは、６個の切刃を有する。溝は、その時点では切削に使用されない、両面切削インサートの側にある切刃が、そこに受容され得るように、配置される。切刃は、溝の内部に配置され、溝の端面に接触せず、これにより工具本体と接触しない。これにより、ベース面及び第１の接触面によって両面切削インサートの正確な位置決めもまた、依然として可能である。片面切削インサートの代わりに、両面切削インサートを使用することにより、切削工具及び工具本体の加工における費用対効果が増大する。
【０００９】
好ましくは、溝は、少なくとも部分的にベース面の後方であって且つ第１の接触面の後方にある。よって、溝は、ベース面に垂直な方向から見て、ベース面に対してセットバックしている。溝は、第１の接触面に垂直な方向から見ても、セットバックしている。これにより、両面切削インサートの切刃を受容するための十分なスペースがある。また、切刃は、切削インサートの装着及び位置合わせの際に、溝又は工具本体の区切り壁と接触せず、したがって保護される。
【００１０】
一実施形態では、ベース面は、工具本体の長手方向軸と異なる角度を囲繞する。この角度は、位置合わせ角又は工具面加工角と呼ばれ、切削結果に大きく影響を及ぼす。特に、切削の際の切削インサートを受容するための工具本体の端面に設けられた全てのベース面は、他のベース面とは異なる位置合わせ角を有してもよい。しかしながら、切削タスクによっては、位置合わせ角は、ベース面ごとに個別に定義されてもよい。個々の位置合わせ角は、最適化法の過程において計算され、これに対しては、有限要素法を使用することができる。これにより、レセプタクル記録に装着された割出し可能な切削インサートの実際の入口角及び出口角を考慮することができる。このように、費用効率のよい方法で、高品質の切削結果を得ることができる。
【００１１】
ある設計の変形は、レセプタクルが第１の接触面及びベース面に隣接する第２の接触面を備えることを提供する。これにより、レセプタクルに装着された切削インサートは、切削インサート装着ねじを使用してベース面上に固設され、２つの接触面に対して当接することにより位置決めされる。切削インサート装着ねじと、切削インサートにおけるそれぞれの装着穴との相互作用は、切削インサート装着ねじの締め付け中に、切削インサートが２つの接触面に引っ張られるように設計することができる。この場合、一方の接触面を、それが工具本体の軸方向において実質的にレセプタクル内に装着された切削インサートを支持するように、かつ他方の接触面が径方向支持を提供するように、配置してもよい。これにより、切削インサートの正確で簡単な位置決めが可能となり、切削インサートを迅速に交換して回転させることができる。
【００１２】
第１の接触面と第２の接触面の間の移行部は溝であることが有利である。これにより、レセプタクル内において、任意の角半径を有する切削インサートを配置して、接触面に当接させることができる。第１の接触面とベース面の間の移行部の溝と同様に、２つの接触面間の移行部における溝は、これらの面の各々の後方の領域に少なくとも延在してもよい。切削インサートが接触面に当接する際に、例えば切屑の形のいかなる異物も溝内に収容することができるので、常に正確な切削インサートの位置決めが可能となる。
【００１３】
ある代替の設計においては、各レセプタクルは、レセプタクル内で受容された切削インサートを冷却するための工具本体に配置された冷媒出口開口に関連付けられる。このように、より高い切削速度及び／又は材料除去率を、高い切削品質で一貫して実現することができる。また、冷却によって、割出し可能な切削インサートの寿命、より具体的には、切刃の寿命が増大する。冷媒出口開口は、レセプタクル内に装着された切削インサートの特定の対象領域、例えば、切刃に向かって方向付けられるように設計される。各レセプタクルは、代わりに２つ又は３つの冷媒出口開口に関連付けられてもよい。
【００１４】
１つの変形例においては、２つの冷媒出口開口を、工具本体の端面から見た各場合に、最初の２列に割り当てることを提供する。冷媒出口開口は、対の開口として、すなわち、それらが共通の冷媒流路により供給されるものとして設計されてもよい。冷媒は、切屑の除去を補助することができる。
【００１５】
切削プロセスにおいて冷却するための少なくとも１つの冷媒出口開口は、工具本体の端面上に配置されてもよい。これらの冷媒出口開口は、切削速度及び／又は材料除去率を増大させる役割も果たす。また、端面に多数の冷媒出口開口が配置されてもよい。
【００１６】
好ましくは、工具本体は、２〜１０個の、好ましくは５〜７個の切屑排出溝を、切削インサート用のレセプタクルと共に備え、切屑排出溝は、特に工具本体の外周上に非対称に分配される。このように、工具本体が得られ、切削タスクの費用効果的な性能を保証する。
【００１７】
工具本体は、一体的に製作されてもよい。この場合、工具本体の高い機械的安定性が得られる。工具本体は、例えば、有限要素法を用いて設計することができる。加えて、このような工具本体は、装着ステップが不要で、公差チェーン（tolerance chain）が発生しないので、精密な公差を満たす。これにより、精密で費用効果的な切削が可能となる。
【００１８】
好適な実施形態では、３〜３０個の、好ましくは５〜２０個のレセプタクルが、切屑排出溝に沿って配置される。よって、各切屑排出溝には、同じ数の切削インサートを装着することができる。このように、費用効果的な切削を確実にする。
【００１９】
代替の実施形態では、ベース面上に、割出し可能な切削インサートを中心に置くための突起が配置され、好ましくは、孔は、その内部を通る突起を通って延在する。突起の助けにより、レセプタクル内に装着された割出し可能な切削インサートをベース面に沿って配向して、例えば、中心に配置してもよい。同時に、突起と組み立てられた割出し可能な切削インサートとの間のプラスの接続（positive connection）は、ベースに対して平行になる。孔が、その内部を通る突起を通って延在する場合、孔を、突起のないレセプタクルと比較して、より深くなるように設計してもよい。次いで、例えば、長尺のネジを孔内に配置してもよい。割出し可能な切削インサートの取り付けが容易になり、割出し可能な切削インサートの締結が改善される。
【００２０】
タスクは、両面切削インサートが各レセプタクルに装着される、本発明に係る工具本体を備えた切削工具、特にシェルエンドミルによって解決される。これにより、片面切削インサートを備えた切削工具と比較して、２倍の数の切刃が利用可能になる。よって、切削工具の工具寿命は実質的に２倍となり、それは費用効果の大幅な増加に対応する。切削インサートは、任意の形状、例えば多角形又は丸形であってもよい。切屑排出溝の端面に配置される切削インサートは、端面加工のために配置することができる。他の切削インサートは、原則として、外周加工のために配置される。
【００２１】
装着側の切刃は、ベース面と第１の接触面との間の移行部にある溝内に配置するのが有利である。
【００２２】
切削インサートは、負のすくい角を有してもよい。切削タスクによっては、正のすくい角も可能である。
【００２３】
１つの変形例においては関連する、切削インサートは、切削インサート側の２つのベース面を備え、これら２つのベース面は、関連する切刃と比較して、切削インサートの内側に向かってセットバックしている。換言すれば、切刃は、切削インサート側でベース面と直交する方向にベース面から突出する。両面切削インサートは、切削インサートの側に、片側に１つずつの、２つのベース面を備える。装着した状態では、切削インサート側のベース面の一方は、工具本体側のベース面にそれぞれ当接する。これにより、切削インサートを任意の位置、すなわち、任意の回転位置又は向きに、高精度で位置決めすることが確実になる。
【図面の簡単な説明】
【００２４】
本発明を、添付の図面に示される様々な例示的な実施形態を参照して、以下に説明する。図は、以下を示す。
【図１】７個の切屑排出溝を有する第１の実施形態に従った本発明に係る工具本体を備えた本発明に係る切削工具を斜視図で示す。
【図２】５個の切屑排出溝を有する第２の実施形態に従った本発明に係る工具本体を備えた本発明に係る切削工具を３視図面で示す。
【図３】３視図面において、６個の切屑排出溝を有する第３の実施形態に従った本発明に係る工具本体を備えた本発明に係る切削工具を示す。
【図４】本発明に係る工具本体のレセプタクルにそれぞれ装着される、本発明に係る切削工具の２つの切削インサートの詳細図を示す。
【図５】発明の工具本体のレセプタクル内に締結された割出し可能な切削インサートの断面図である。
【図６】発明の切削工具の割出し可能な切削インサート平面図及び断面図である。
【図７】本発明の工具本体用レセプタクルの代替実施形態の詳細図である。
【発明を実施するための形態】
【００２５】
本明細書に記載される実施形態は、以下の詳細な説明及び実施例、並びにその前及び後の説明を参照することによって、より容易に理解され得る。しかしながら、ここで記載される要素、装置、及び方法は、詳細な説明及び例で提示される特定の実施形態に限定されない。これらの実施形態が本発明の原理の例示にすぎないことが認識されるべきである。本発明の精神及び範囲から逸脱することなく、多くの修正及び適応が当業者に容易に明らかとなるであろう。
【００２６】
シェルエンドミル１０は、工具本体の長手方向軸１４と共に実質的に円形の円筒形状を有する工具本体１２を備える。
【００２７】
工具本体１２は、図示しない工作機械にクランプ可能なクランプ側端部１６と、反対側の加工側端部１８とを備える。加工側端部１８には、端面［正面］２０が配置される。
【００２８】
シェルエンドミル１０は、その端面２０上において及びその周囲２２において加工するために設計される。周囲２２は、横側の面として参照されてもよい。
【００２９】
図示の実施形態では、工具本体１２は一体的に設計されている。
【００３０】
工具本体１２において、切屑案内溝２４が配置される。これらは、工具本体１２の周囲２２の周りに螺旋状に延在し、切屑除去部を担う。
【００３１】
図示の実施形態において、工具本体１２は、５個、６個、又は７個の切屑案内溝２４を備える。工具本体の直径及び使用済みの割出し可能な切削インサート２６のサイズに応じて、工具本体は、より多い、又はより少ない切屑案内溝２４を備えてもよい。
【００３２】
図２及び図を特に参照すると、切屑案内溝２４は、工具本体１２の周囲２２の周りに不均一に分配されている。これは、隣接する切屑案内溝２４の角度間隔が距離的に異なることを意味する。
【００３３】
切屑案内溝２４に、割出し可能な切削インサート２６が配置される。
【００３４】
割出し可能な切削インサート２６は各々、レセプタクル２８内にセットされ、左右対称に設計される。このような割出し可能な切削インサート２６を、図６に示す。しかしながら、説明されたシェルエンドミル１０に示されていない他の割出し可能な切削インサートがあってもよい。
【００３５】
各レセプタクル２８は、ベース面３０を備える。各割出し可能な切削インサート側ベース面３２は、このベース面３０に隣接して位置する。次いで、割出し可能な切削インサート２６は、ベース面３０の孔５内で螺合する割出し可能な切削インサート固定ねじ３４を用いてレセプタクル２８に取り付けられる。
【００３６】
図示の実施形態では、両面の割出し可能な切削インサート２６があるため、各割出し可能な切削インサート２６は、２つの割出し可能な切削インサート側ベース面３２を備える。特に、図６に示すように、割出し可能な切削インサート側ベース面３２は、同じ側に配置された切刃３６に対してセットバックしている。
【００３７】
図示の実施形態では、割出し可能な切削インサート２６は、負のすくい角を有する。
【００３８】
インサート２６の傾斜は、工具本体軸１４に対するベース面３０の傾斜を介して、工具の長手方向軸１４に対して調整してもよい。ベース面３０と工具本体の長手方向軸１４との間の角度は、各ベース面のための切削用途に応じて個別に選択されてもよい。
【００３９】
図示の実施形態では、各対応するベース面３０の角度は等しく、隣接する切屑案内溝２４内に配置される。これは、例えば、３番目のベース面３０の全て、したがって３番目の割出し可能な切削インサート２６の全てが、工具本体の長手方向軸１４に対して、切屑案内溝２４に沿って同じ角度を有するということを意味する。しかしながら、個々のベース領域３０の角度は、切屑案内溝２４内において異なる。
【００４０】
また、レセプタクル２８は、第１の当接面３７及び第２の当接面３８を含む。
【００４１】
組み立て時には、割出し可能な切削インサート２６は、それぞれ、その側面４０の１つが当接面３７及び当接面３８に隣接した状態で利用可能である。
【００４２】
第１の当接面３７及び第２の当接面３８の両方が、ベース面３０に隣接する。
【００４３】
図５に示すように、第１の当接面３７は、当接面３０に対して実質的に垂直である。同様に、第２の当接面３８は、ベース面３０に対して実質的に垂直である。
【００４４】
図示の実施形態では、矩形状の割出し可能な切削インサート２６を使用しているので、第１の当接面３７及び第２の当接面３８は、実質的に互いに垂直である。
【００４５】
ベース面３０と第１の当接面３７との間の移行部は、溝４２として設計される。
【００４６】
この溝４２は、ベース面３０に垂直な方向から見たときにベース面３０の後方に位置するように、かつ、当接面３７に垂直な方向から見たときに第１の当接面３７の後方に位置するように設計される。
【００４７】
図４に示すように、溝４２は、矩形の断面を有してもよい。
【００４８】
図５に示すレセプタクル２８では、溝４２は、円形の断面を有する。
【００４９】
図示しないベース面の同等な溝３０が、第２の当接面３８への移行部に設けられる。
【００５０】
図４に示すように、第１の当接面３７と第２の当接面３８との間の移行部も、溝４４として設計される。
【００５１】
図示の実施形態では、溝４４は、円形の断面を有するが、溝４２として任意の所望の断面を有してもよい。
【００５２】
割出し可能な切削インサート２６を座部２８内に装着する場合には、レセプタクル２６のクランプ面側と割出し可能な切削インサート２６の切削面側との間を区別する必要がある。割出し可能な切削インサート２６のクランプ面側は、ベース面３０に向かって配向される。本ページ上では、切刃３６は、加工に関与しない。切削面側は、クランプ面側とは反対にある。配置された切刃３６の１つが、加工に関与する。
【００５３】
割出し可能な切削インサート２６を組み立てた状態では、少なくとも１つの切刃３６が、溝４２内において割出し可能な切削インサート２６のクランプ面側に配置される。これは、図４及び図５から分かる。
【００５４】
レセプタクル２８の代替の実施形態では、図７に示すように、ベース面３０に突起４８が配置される。この突起４８上には、組み立て時に割出し可能な切削インサート２６を中心に配置してもよい。この目的のために、突起４８を突起の幾何学的形状に関連付ける必要がある。中心の配置は、「容易に」設計され、これにより当接面３７、３８と割出し可能な切削インサート２６と突起４８との間に二重の嵌合が生じ得ない。
【００５５】
図示の実施形態では、突起４８は、円形の円筒形状を有し、孔３５が、突起４８内の中心に配置される。
【００５６】
割出し可能な切削インサート２６の組み立て時に、切削インサート２６は、先ず突起４８に仮に位置決めされ、次いで、割出し可能な切削インサート取り付けねじ３４の螺合の途中で当接面３７、３８へと配置される。
【００５７】
図示の実施形態では、各切屑案内溝２４上に１３個又は１７個の割出し可能な切削インサート２６が位置決めされる。明確にするために、個々の割出し可能な切削インサート２６のみに参照番号が与えられている。各切屑案内溝における割出し可能な切削インサート２６の個数は、特に、工具本体の長さ及び使用される割出し可能な切削インサート２６のサイズに応じて決定してもよい。
【００５８】
シェルエンドミル１０は、冷媒又は保冷剤を用いて操作されてもよい。工具本体１２には、不特定の冷媒流路が設けられる。
【００５９】
図示の実施形態では、各レセプタクル２８及びそれに応じた各割出し可能な切削プレート２６は、冷却チャネルを介して供給される冷媒出口開口５０に関連付けられる。これにより、加工プロセス中、レセプタクル及びそこに受容される割出し可能な切削インサートを冷却し得る。明確にするために、選択された冷媒出口開口５０のみに参照マークが与えられている。
【００６０】
各２つの冷媒出口開口５０は、端面２０から見て１番目と２番目の列に位置するレセプタクル２８に関連付けられてもよい。そして、冷媒フローによって更に切屑の除去が補助される。これは、図３から分かる。同様に、工具本体１２の端面２０上に、冷媒出口開口５２を介して供給される冷却流路が配置される。
【００６１】
本発明の様々な実施形態は、本発明の様々な目的の達成のために記載されている。これらの実施形態が本発明の原理の例示にすぎないことが認識されるべきである。本発明の精神及び範囲から逸脱することなく、その多くの修正及び適応が当業者に容易に明らかとなるであろう。
【図１】
2019524467.tif 000003
【図２】
2019524467.tif 000004
【図３】
2019524467.tif 000005
【図４】
2019524467.tif 000006
【図５】
2019524467.tif 000007
【図６】
2019524467.tif 000008
【図７】
2019524467.tif 000009
【図８】
2019524467.tif 000010
【国際調査報告】
2019524467.tif 000011
2019524467.tif 000012
2019524467.tif 000013